(57)【要約】【課題】応力集中を抑制して損傷を防止すると共に滑らかに湾曲し得る釣竿の提供。【解決手段】この釣竿１０は、第１番節１３を備え、これが穂先部を構成している。第１番節１３は、中実部２８と中空部２９とを有し、これらが連結されている。中空部２９の先端部３２は、斜めにカットされており、開口部３３は、第１番節１３が正規曲げ方向Ｍに曲げられたときに引張応力が発生する側に向いている。中実部２８と中空部２９との連結部３０には、接着部材４３が充填され、塗料４５が塗布されている。中実部２８の後端部３１は、錐体部３４と円柱部３５を備え、これらが中空部２９の支持部３６に嵌め込まれている。【選択図】  図３
2005027531.tif 000002
【特許請求の範囲】
【請求項１】
中実部の後端部が中空部の先端部に連結された穂先部を備え、
上記先端部は、穂先部の軸方向に対して交差する方向に沿って斜めにカットされている釣竿。
【請求項２】
上記先端部は、上記穂先部が正規曲げ方向に曲げられたときに引張応力が発生する側に開口するように、穂先部の軸方向に対して交差する方向に沿って斜めにカットされている請求項１に記載の釣竿。
【請求項３】
上記中実部と上記中空部との連結部に接着部材が充填され、且つ上記中空部と上記中実部との境界が滑らかに連続するように塗料が塗布されている請求項１又は２に記載の釣竿。
【請求項４】
上記中実部の後端部は、後方に向かって漸次縮径された錐体部を備え、
上記中空部の先端部は、上記円柱部を支持する支持部を備えており、
上記錐体部は、上記支持部に嵌合支持されている請求項１ないし３のいずれかに記載の釣竿。
【請求項５】
上記中実部の後端部は、後方に向かって漸次縮径された錐体部と、さらに後方に向かって錐体部に連続した円柱部とを備え、
上記中空部の先端部は、上記錐体部及び円柱部を支持する支持部を備えており、
上記錐体部及び円柱部は、上記支持部に嵌合支持されている請求項１ないし３のいずれかに記載の釣竿。
【発明の詳細な説明】
【０００１】
【発明の属する技術の分野】
この発明は、釣竿、特に釣竿の穂先部の構造に関するものである。
【０００２】
【従来の技術及び発明が解決しようとする課題】
図６は、従来の一般的な釣竿の正面図である。
この釣竿１は、アウターガイドタイプの磯釣用釣竿である。釣竿１は、振出式に組み立てられており、第１番節２〜第５番節６を備えている。なお、第１番節２は、「穂先部」と称される場合もある。ただし、「穂先部」は、広義には釣竿の先端部分を意味する。各節２〜５には、釣糸を案内する釣糸ガイドＧが複数装着されている。一般に第２番節３〜第５番節６は、細長円筒状に形成されるが、第１番節２は、中実棒状に形成されることがある。
【０００３】
図７は、第１番節２の拡大図である。
同図では、釣糸ガイドの図示は省略されている。通常、第１番節２は、全体が中実構造を有するのではなく、同図が示すように、中間部７において中実部材８と中空部材９とが連結される。両者の連結は、中空部材９の先端部に、中実部材８の後端部が嵌め込まれることによって行われる。なお、第１番節２は、外周面が塗装され、外見上は、中実部材８と中空部材９との境界部分が滑らかに連続するように仕上げられる。
【０００４】
ところで、実釣時において魚が掛かった場合には、釣竿１に曲げモーメントが加わり、釣竿１は、釣糸ガイドＧによって案内される釣糸の方向（図６、図７では、矢印Ｍの方向）に曲げられる。本明細書において、この方向は、「正規曲げ方向」と定義される。このように釣竿１が曲げられることによって第１番節２も同方向に湾曲される。第１番節２の上記中間部７は、前述のように中実部材８と中空部材９とが継がれているから（図２参照）、第１番節２が湾曲されることによって、中間部７に応力集中が発生し、その結果、塗料の割れ等、当該中間部７が損傷を受けるおそれがあった。
【０００５】
また、この中間部分７において、第１番節２の断面係数は、不連続となっている。そのため、特に魚が掛かった場合等において、第１番節２が連続的に滑らかに湾曲することができず、釣人が好む「滑らかで綺麗な曲がり」を実現することが困難であった。
なお、第１番節ないし釣竿全体の滑らかな曲がり等を実現するために、第１番節ないし釣竿は、従来から種々の改良が施されている（例えば、特許文献１〜特許文献３参照）。
【０００６】
【特許文献１】
特開２００２−１１２６７０
【特許文献２】
特開２００２−１０１７８８
【特許文献３】
特開平１１−１５１０５６号公報
【０００７】
そこで、本発明の目的は、応力集中を抑制して損傷を防止すると共に滑らかに湾曲し得る釣竿を提供することである。
【０００８】
【課題を解決するための手段】
（１）  上記目的が達成されるため、本願に係る釣竿は、中実部の後端部が中空部の先端部に連結された穂先部を備え、上記先端部は、穂先部の軸方向に対して交差する方向に沿って斜めにカットされていることを特徴とするものである。
この構成によれば、穂先部は、中空部と中実部とが連結されて構成されているから、両者の連結部においては断面係数が不連続となる傾向にある。しかし、両者の連結部において上記中空部の先端部が斜めにカットされていることから、当該連結部において断面係数の不連続性は効果的に緩和されている。したがって、穂先部に曲げモーメントが作用して穂先部が湾曲された場合には、上記連結部も滑らかに湾曲する。言い換えると、上記連結部において断面係数の不連続性が緩和されているので、当該連結部に曲げモーメントが作用した場合に、当該連結部には一様な応力が発生し、当該連結部の外縁部が局部的に引っ張られ又は圧縮されることはない。
【０００９】
（２）  また、上記先端部は、上記穂先部が正規曲げ方向に曲げられたときに引張応力が発生する側に開口するように、穂先部の軸方向に対して交差する方向に沿って斜めにカットされているのが好ましい。
仮に、上記中空部の先端部が圧縮応力が生じる側に開口している場合には、上記連結部において座折現象が発生するおそれがある。しかし、上記中空部の先端部は、上記引張応力が生じる側に開口しているので、上記連結部が座折するおそれはない。また、上記連結部の断面係数の不連続性が緩和されていることから、上記連結部の断面に生じる応力が穂先部の軸方向に沿って連続的に変化する。その結果、穂先部に上記正規曲げ方向に曲げモーメントが作用した場合であっても、上記連結部が損傷を受けるおそれはない。
【００１０】
（３）  上記中実部と上記中空部との連結部に接着部材が充填され、且つ上記中空部と上記中実部との境界が滑らかに連続するように塗料が塗布されているのが好ましい。
この構成では、上記連結部に接着部材が充填されることにより、当該連結部における断面係数の不連続性がきわめて効果的に緩和される。しかも、上記中空部と中実部との境界が塗料により滑らかに連続するように仕上げられているから、上記連結部における断面係数の不連続性は、一層効果的に緩和される。したがって、当該連結部の一部分に局部的に大きな応力が発生することはなく、その結果、塗料の割れ等の不都合も防止される。
ここで、「接着部材」は、典型的には、締結用糸や接着剤等が採用され得る。より詳細には、締結用糸としては、綿糸等が採用され、接着剤としては、エポキシ系二液混合タイプのもの等が採用される。なお、上記綿糸は、撚糸タイプであっても無撚タイプのものであってもよい。
【００１１】
（４）  上記中実部の後端部は、後方に向かって漸次縮径された錐体部を備え、上記中空部の先端部は、上記円柱部を支持する支持部を備えており、上記錐体部は、上記支持部に嵌合支持された構造であるのが好ましい。
この構成では、上記中空部と中実部とは、中実部の錐体部が中空部の支持部に嵌め込まれることによって連結される。これにより、上記中空部の先端部が前述のように斜めにカットされていても、上記中実部は、中空部に略位置決めされた状態で支持される。したがって、穂先部が湾曲された場合に、上記中空部と中実部との間において部材の滑りやクラック等の発生が抑制され、上記連結部の損傷は、一層防止される。
【００１２】
（５）  上記中実部の後端部は、後方に向かって漸次縮径された錐体部と、さらに後方に向かって錐体部に連続した円柱部とを備え、上記中空部の先端部は、上記錐体部及び円柱部を支持する支持部を備えており、上記錐体部及び円柱部は、上記支持部に嵌合支持された構造であるのがより好ましい。
この構成では、上記中空部と中実部とは、中実部の錐体部及び円柱部が中空部の支持部に嵌め込まれることによって連結される。つまり、上記中空部と中実部とは、いわゆるインロー嵌合状態で連結される。これにより、上記中空部の先端部が前述のように斜めにカットされていても、上記中実部は、中空部に位置決めされた状態で支持される。したがって、穂先部が湾曲された場合に、上記中空部と中実部との間において部材の滑りやクラック等が生じることはなく、上記連結部の損傷は、一層防止される。
【００１３】
【発明の実施の形態】
以下、適宜図面が参照されつつ、好ましい実施形態に基づいて本発明が詳細に説明される。
【００１４】
図１は、本発明の一実施形態に係る釣竿の正面図である。
この釣竿１０は、いわゆるアウターガイドタイプの磯釣用振出式釣竿である。釣竿１０は、釣竿本体１１及びリールシート１２とを備えている。リールシート１２は、釣用リールが装着される部分であると同時に、釣人が釣竿１０を把持する部分である。本実施形態では、リールシート１２は、釣竿本体１１と一体的に形成されている。もっとも、リールシート１２が別部材として構成され、これが釣竿本体１１に装着されていてもよいことは勿論である。
【００１５】
釣竿本体１１は、５つの釣竿構成部材１３〜１７から構成されている。各釣竿構成部材１３〜１７は、それぞれ「節」と称され、釣竿本体１１の先端側（図中左側）から順に第１番節１３、第２番節１４と称される。第１番節１３は、釣竿１０の穂先部を構成している。第４番節１６は、特に「元上節」と称され、第５番節１７は、特に「元節」と称されることもある。
各節１４〜１７は、既知の要領で構成される。例えば、カーボンプリプレグが所定形状に裁断され、これが筒状に巻回されることによって、円筒状の節１４〜１７が形成される。ただし、特に第１番節１３は、後に詳述される構造を備えており、その一部が中実棒状に形成されている。
なお、この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００１６】
第１番節１３は第２番節１４の内部に引き出し自在に収容されている。第１番節１３は全体としてテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分とかみ合って両者が固定されるようになっている。なお、第２番節１４と第３番節１５との関係及び第３番節１５と元上節１６との関係も同様である。
【００１７】
元節１７には、前述のように上記リールシート１２が一体的に形成されている。このリールシート１２は、釣用リールを着脱自在に保持する。リールシート１２は、釣用リールの脚部の一方を収容保持するフード１８と、脚部の他方を収容保持する可動フード１９とを備えている。可動フード１９は、釣用リールを載置する載置面２０に沿って図中左右にスライド可能となっている。そして、可動フード１９が図中左右にスライドすることにより、可動フード１９とフード１８との間で、釣用リールの脚部が挟持され固定されるようになっている。なお、かかるリールシート１２の構造については既知であるので、その詳しい説明は省略される。
【００１８】
本実施形態に係る釣竿１０は、スピニングリール対応タイプであり、釣竿本体１１には、複数の釣糸ガイド２１〜２７が設けられている。釣糸ガイド２１は、特にトップガイドと称され、第１番節１３の先端に常時固定されている。また、釣糸ガイド２３、２５は、それぞれ第２番節１４及び第３番節１５の先端に常時固定されている。他の釣糸ガイド２２，２４，２６，２７は、それぞれ、第１番節１３，第２番節１４，第３番節１５，元上節１６に遊嵌されている。これら釣糸ガイド２２，２４，２６，２７は、各節１３〜１６が隣り合う節から引き出された状態で図中右側にスライド（各節１３〜１５において外径が漸次大きくなる方向にスライド）されることによって、各節１３〜１５の所定位置に嵌合固定されるようになっている。したがって、この釣竿１０においては、矢印Ｍの方向が正規曲げ方向となる。
【００１９】
図２は、釣竿１０の第１番節１３の正面図である。また、図３は、第１番節１３の要部拡大図、図４は、第１番節１３の要部拡大分解図である。
第１番節１３は、中実部２８と中空部２９とを備えており、これらは、第１番節１３の中間部３０において連結されている。中実部２８と中空部２９とが連結された中間部３０は、特に「連結部３０」と称される。
【００２０】
中実部２８は、その後端部３１が中空部２９の先端部３２に嵌め込まれることによって当該中空部２９に連結されている。中空部２９の先端部３２は、図３及び図４が示すように斜めにカットされている。すなわち、この先端部３２の開口部３３は、第１番節１３が正規曲げ方向Ｍに沿って湾曲されたときに、当該第１番節１３に引張応力が発生する側（図３において第１番節１３の下面側）に向くように形成されている。本実施形態では、図３が示すように、上記先端部３２の端面は、第１番節１３の軸方向Ｎに対して角度θだけ傾斜している。この角度θは、３０°（ｄｅｇｒｅｅ）〜７０°に設定される。
【００２１】
図４が示すように、中実部２８の後端部３１は、錐体部３４と円柱部３５とを備えている。これらは、中実部２８と一体的に形成されている。錐体部３４は、中実部２８の後端部３１が軸方向Ｎに沿って漸次縮径されながら後方へ延設された部分によって構成されており、略円錐状に形成されている。また、円柱部３５は、この錐体部３４の後端部がさらに軸方向Ｎに沿って後方へ延設された部分によって構成されている。したがって、錐体部３４の周面は、所定のテーパが形成され、このテーパは、３０／１０００〜１５０／１０００の範囲で適宜設定される。また、円柱部３５の外径寸法は、０．７ｍｍ〜４．０ｍｍの範囲で、円柱部３５の長さ寸法は、１０ｍｍ〜３０ｍｍの範囲でそれぞれ適宜設定され得る。
【００２２】
一方、中空部２９の先端部３２は、中実部２８を支持するための支持部３６が設けられている。この支持部３６は、中空部２９の先端部３２の内壁面形状により区画形成された空間により構成されている。すなわち、上記支持部３６は、図４が示すように、第１嵌合凹部３７及び第２嵌合凹部３８とを備えており、第１嵌合凹部３７は、内壁面形状が略円錐状に形成された空間からなり、第２嵌合凹部３８は、内壁面形状が円柱状に形成された空間からなる。
第１嵌合凹部３７は、内壁面３９がテーパ状に傾斜されており、このテーパは、上記錐体部３４の周面に形成されたテーパと同様である。また、第２嵌合凹部３８は、第１嵌合凹部３７に連続しており、その内径寸法は、上記円柱部３５の外径寸法に対応されており、上記円柱部３５は、第２嵌合凹部３８にぴったりと嵌め合わされるようになっている。
なお、本実施形態では、第２嵌合凹部３８に連続して連結凹部４２が形成されている。この連結凹部４２は、略漏斗状に形成されており、第２嵌合凹部３８の内壁面４０と中空部２９の内壁面４１とを滑らかに連続する。
【００２３】
図３が示すように、中実部２８の後端部３１は、中空部２９の先端部３２に嵌め込まれている。具体的には、上記後端部３１の錐体部３４及び円柱部３５が上記先端部３２の支持部３６に嵌め込まれて支持されており、上記錐体部３４は、上記第１嵌合凹部３７に嵌合支持され、上記円柱部３６は、上記第２嵌合凹部３８に嵌合支持されている。これにより、中実部２８の後端部３１は、中空部２９の先端部３２に位置決めされた状態で支持される。
【００２４】
本実施形態では、さらに図３が示すように、上記中実部２８と中空部２９との連結部３０に接着部材４３が充填されており、上記中実部２８と中空部２９との境界部分が滑らかに連続するように仕上げられている。
上記接着部材４３は、接着剤４４と締結用糸から構成されている。この締結用糸は、同図では図示されていないが、一般に釣竿本体に対してリールシート等の付属品が締結固定される際に使用されるものであって、例えば綿糸や絹糸等から構成される。また、接着剤４４は、例えばエポキシ系二液混合タイプのもの等が採用される。
【００２５】
具体的には、上記中空部２９の先端部３２が斜めにカットされることにより、中実部２８の後端部３１が上記中空部２９に嵌め込まれた状態で、中実部２９の後端部３１と中空部２９の先端部３２との間に所定の隙間が形成される。そして、この隙間部分に接着剤が充填されると共に、中実部２８と中空部２９との境界部分に締結用糸が巻き付けられる。なお、締結用糸が巻き付けられた後に接着剤が塗布されてもよい。
さらに、この状態で、上記連結部３０及び当該連結部３０の近傍部分に塗料が塗布される。この塗料は、例えば、エポキシ系塗料又はウレタン系塗料等が採用される。これにより、上記連結部３０及びその近傍部分は、滑らかに連続するように仕上げられる。
【００２６】
本実施形態に係る釣竿１０では、実釣時に魚が掛かった場合に釣竿１０が正規曲げ方向Ｍの方向に曲げられる。したがって、第１番節１３も同様に当該方向に曲げられる。第１番節１３は、上記連結部３０においては断面係数が不連続となる傾向にある。しかし、上記中空部２９の先端部３２が斜めにカットされていることから、上記連結部３０において断面係数の不連続性は効果的に緩和される。したがって、第１番節１３が曲げられた場合に、上記連結部３０が滑らかに湾曲し、これにより、第１番節１３も滑らかに湾曲する。
【００２７】
このことは、第１番節１３、特に連結部３０が一様に変形し、局部的に大きな変形が生じないことを意味する。したがって、連結部３０に塗布された上記塗料４５に割れ等の損傷が発生することが効果的に抑制される。また、この連結部３０が一様に変形し、第１番節１３が滑らかに湾曲することは、釣竿１０の穂先感度が向上することを意味し、その結果、釣竿１０の操作性が向上する。しかも、第１番節１３が滑らかに湾曲することにより、釣竿１０全体が滑らかに湾曲することになるので、実釣時における釣竿１０の綺麗な曲がりが実現される。
【００２８】
また、上記中空部２９の先端部３２の開口部３３は、第１番節１３が正規曲げ方向Ｍに湾曲されたときに引張応力が生じる側に開口しているから、上記連結部３０の断面に生じる応力が第１番節１３の軸方向Ｎに沿って連続的に変化する。言い換えると、上記開口部３３が、仮に圧縮応力が生じる側に開口している場合には、上記連結部３０において座折現象が発生するおそれがあるが、上記開口部３３が上記方向に開口しているので、上記連結部３０が座折するおそれがなく、したがって、上記連結部３０の断面に生じる応力が第１番節１３の軸方向Ｎに沿って連続的に変化する。その結果、実釣時において第１番節１３に大きな曲げモーメントが作用した場合であっても、上記連結部３０が損傷を受けるおそれはなく、第１番節１３は、きわめて滑らかに湾曲する。
なお、本実施形態では、上記開口部３３は、第１番節１３が正規曲げ方向Ｍに湾曲されたときに引張応力が生じる側に開口しているが、これに限定されるものではないことは勿論である。
【００２９】
特に、本実施形態に係る釣竿１０では、上記連結部３０に接着部材４３が充填されており、さらに上記塗料４５が塗布されることによって、上記中空部２９と上記中実部２８との境界が滑らかに連続するように仕上げられている。これにより、連結部３０における断面係数の不連続性がきわめて効果的に緩和され、第１番節１３は、より滑らかに湾曲される。その結果、塗料４５の割れ等の不都合は、より一層効果的に緩和されるという利点がある。
【００３０】
また、上記中実部２８の後端部３１は、上記錐体部３４及び円柱部３５を備え、これらは、図３が示すように上記中空部２９の先端部３２に嵌め込まれている。具体的には、上記錐体部３４及び円柱部３５が上記中空部２８の支持部３６に嵌め込まれ、上記中空部２９と上記中実部２８とは、いわゆるインロー嵌合状態で連結される。しかも、上記中空部２９の支持部３６は、上記連続凹部４２によって当該中空部２９の内壁面４１と連続しているから、第１番節１３の当該支持部３６が形成された部分と、これより後方部分とは、断面係数が急激に変化することなく滑らかに変化する。
【００３１】
これにより、上記中空部２９の先端部３２が前述のように斜めにカットされていても、上記中実部２８は、上記中空部２９に位置決めされた状態で支持され、したがって、第１番節１３が湾曲された場合に、上記中空部２９と上記中実部２８との間において部材間の滑りやクラック等が生じることはなく、上記連結部３０の損傷は、一層防止される。このことは、第１番節１３は、大きな曲げモーメントが作用した場合であっても、より一層滑らかに湾曲されることを意味する。
【００３２】
図５は、本実施形態の変形例に係る釣竿１０の構成部材である第１番節１３の要部拡大分解図である。
この変形例が上記実施形態と異なるところは、上記実施形態では、中実部２８が上記錐体部３４及び円柱部３５を備えていたのに対し、本変形例では、中実部２８が上記円柱部３５を備えておらず、錐体部３４のみを備えている点である。なお、その他の構成については、上記実施形態と同様である。
【００３３】
本変形例では、中実部２８の上記円錐部３４が中空部２９の支持部３６の第１嵌合凹部３７に嵌め込まれる。そして、上記接着部材４３を介して、中実部２８と中空部２９とが連結される。この場合であっても、上記中実部２８は、上記中空部２９に略位置決めされた状態で支持される。したがって、第１番節１３が湾曲された場合に、上記中空部２９と上記中実部２８との間において部材間の滑りやクラック等の発生が抑制され、第１番節１３は、連結部３０に損傷を受けることなく滑らかに湾曲することができる。
【００３４】
なお、本実施形態及び上記変形例は、本発明がアウターガイドタイプの磯釣用釣竿に適用された態様を開示しているが、本発明は、他の種類の釣竿にも適用され得ることは勿論である。また、本実施形態及び上記変形例は、本発明が振出式釣竿に適用された態様を開示しており、そのために本発明が第１番節に適用された態様が開示されているが、本発明は、一般に釣竿の穂先部に適用され得るものであり、振出式釣竿に限定されるものではなく、延べ竿等にも適用され得るものであることは勿論である。
【００３５】
【発明の効果】
以上のように本発明によれば、穂先部が中空部及び中実部を備え、中実部が中空部の斜めにカットされた先端部に連結されているので、両者の連結部の断面係数が滑らかに変化する。しかも、上記先端部は、穂先部が湾曲されたときに引張応力が生じる側に開口されている。したがって、実釣時に魚が掛かった場合等において、穂先部は、その塗装の割れや座折等の損傷を受けることなく、穂先部ないし釣竿全体が滑らかに且つ綺麗に湾曲することができる。
【図面の簡単な説明】
【図１】図１は、本発明の一実施形態に係る釣竿の正面図である。
【図２】図２は、本発明の一実施形態に係る釣竿の第１番節の正面図である。
【図３】図３は、本発明の一実施形態に係る釣竿の第１番節の要部拡大図である。
【図４】図４は、本発明の一実施形態に係る釣竿の第１番節の要部拡大分解図である。
【図５】図５は、本発明の一実施形態の変形例に係る釣竿の要部拡大分解図である。
【図６】図６は、従来の一般的な釣竿の正面図である。
【図７】図７は、従来の一般的な釣竿の第１番節の拡大図である。
【符号の説明】
Ｍ・・・正規曲げ方向
１０・・・釣竿
１１・・・釣竿本体
１３・・・第１番節
２８・・・中実部
２９・・・中空部
３０・・・連結部
３１・・・後端部
３２・・・先端部
３３・・・開口部
３４・・・錐体部
３５・・・円柱部
３６・・・支持部
３７・・・第１嵌合凹部
３８・・・第２嵌合凹部
３９・・・内壁面
４０・・・内壁面
４１・・・内壁面
４２・・・連続凹部
４３・・・接着部材
４４・・・接着剤
４５・・・塗料
【図１】
2005027531.tif 000003
【図２】
2005027531.tif 000004
【図３】
2005027531.tif 000005
【図４】
2005027531.tif 000006
【図５】
2005027531.tif 000007
【図６】
2005027531.tif 000008
【図７】
2005027531.tif 000009